(57)【要約】【課題】最初の画像と最後の画像を指定することにより、２つ以上の連続した画像データについて誤消去防止の範囲設定が行なえるデジタルカメラを提供すること。【解決手段】デジタルカメラ（１００）は、メモリーカード（１０８）に記録されている画像データに対応する画像が所定の順番で表示される画像表示用ＬＣＤ（１１２）と、該画像表示用ＬＣＤ（１１２）により表示される画像から第１の画像を始端として選択し且つ第２の画像を終端として選択して誤消去防止設定の範囲指定を行なうための誤消去防止設定範囲指定手段（１１４）と、該誤消去防止設定範囲指定手段（１１４）により指定された第１の画像から第２の画像までの範囲の画像データそれぞれに、誤消去を防止する所定のフラグを付加するための誤消去防止設定手段（１１８）と、を備えている。【選択図】　　　図２
2004120531.tif 000002
【特許請求の範囲】
【請求項１】
被写体像を撮像する撮像デバイスと、
前記撮像デバイスで撮像した被写体像の画像データが記録される記録媒体と、
前記記録媒体に記録されている画像データに対応する画像が所定の順番で表示される画像表示手段と、
前記画像表示手段により表示される画像から第１の画像を始端として選択し且つ第２の画像を終端として選択して誤消去防止設定の範囲指定を行なうための誤消去防止設定範囲指定手段と、
前記誤消去防止設定範囲指定手段により指定された前記第１の画像から前記第２の画像までの範囲の画像データそれぞれに、誤消去を防止する所定のフラグを付加するための誤消去防止設定手段と、
を備えていることを特徴とするデジタルカメラ。
【請求項２】
前記記録媒体に記録されている画像データに対応する画像が前記画像表示手段に１つずつ一画面表示されることを特徴とする請求項１に記載したデジタルカメラ。
【請求項３】
前記記録媒体に記録されている画像データに対応する画像が前記画像表示手段に一覧表示されることを特徴とする請求項１に記載したデジタルカメラ。
【請求項４】
前記誤消去防止設定手段により誤消去防止の設定が行なわれた画像データは、その対応する画像が、誤消去防止設定されていることを示すための少なくとも図形および文字の一方の表示を付加されて、前記画像表示手段に表示されることを特徴とする請求項１から請求項３のいずれか一つに記載したデジタルカメラ。
【請求項５】
前記画像表示手段により表示される誤消去防止設定された画像から２つの画像を選択して誤消去防止設定解除の範囲指定を行なうための誤消去防止設定解除範囲指定手段と、
前記誤消去防止設定解除範囲指定手段により指定された範囲における画像データそれぞれから、当該画像データに付加されている誤消去を防止する所定のフラグを解除するための誤消去防止設定解除手段と、
を更に備えていることを特徴とする請求項１から請求項４のいずれか一つに記載したデジタルカメラ。
【請求項６】
前記記録媒体に記録されている画像データのうち、誤消去を防止する所定のフラグが付加された画像データに対応する画像だけが、前記画像表示手段に表示されることを特徴とする請求項５に記載したデジタルカメラ。
【請求項７】
前記誤消去防止設定解除手段により誤消去防止の設定解除が行なわれた画像データは、その対応する画像から、誤消去防止設定されていることを示すための前記表示が除去された状態で、前記画像表示手段に表示されることを特徴とする請求項５または請求項６に記載したデジタルカメラ。
【発明の詳細な説明】
【０００１】
【発明の属する技術分野】
本発明は、撮像により得られた画像データを記録媒体に記録するデジタルカメラに関し、より詳細には、記録媒体に記録した画像データを誤って消去することを防止するための機能を備えたデジタルカメラに関する。
【０００２】
【従来の技術】
従来から、記録媒体に記録した画像（画像データ）を誤って消去しないための誤消去防止機能を備えたデジタルカメラが知られている。このようなデジタルカメラには、例えば、カメラ本体に着脱可能に装着される記録媒体に誤消去防止用の爪が設けてあって、当該爪の位置を検知して画像の誤消去を防止するデジタルカメラ（例えば、特許文献１参照）、記録媒体に記録された画像ごとに誤消去防止の設定が行なえる機能が設けられたデジタルカメラ、等がある。
【０００３】
【特許文献１】
特開２００１−１２６０３９号公報（第２頁、第６図）
【特許文献２】
特開平１１−２７５５１２号公報（第２〜６頁、第１〜１２図）
【０００４】
【発明が解決しようとする課題】
特許文献１に開示されたデジタルカメラの場合、誤消去防止用の爪の位置を誤消去防止側にしていると、記録媒体に記録された画像データが消去されることはないが、画像データを記録可能な記録容量が記録媒体に残っていても、それ以上画像データを書き込むことができない。つまり、このデジタルカメラの場合は、記録媒体に記録された画像データを全て消去できないようにするか、または全て消去可能にするかの選択しかできず、柔軟な設定が行なえない。
【０００５】
また、画像ごとに誤消去防止の設定が行なえるデジタルカメラでは、画像に個別に誤消去防止の設定が可能であるが、撮像した画像データの多数を誤消去防止に設定したい場合でも１つずつ設定を行なわなければならず、その設定操作が煩雑となるだけでなく設定操作に時間もかかる。また、誤消去防止解除の設定も画像ごとに行なわなければならず、その設定操作が煩雑であるだけでなく時間もかかる。
【０００６】
尚、特許文献２に開示されたデジタルカメラには、誤消去防止および／または誤消去防止解除の設定に係る機能は備えられていないが、選択された動画像に含まれる複数の画像のうち選択された所望の画像よりも前の画像全体または後の画像全体を消去可能である。しかしながら、当該デジタルカメラでは消去される画像範囲が、所望の画像よりも前または後の画像を最後の画像または最初の画像として位置づけるだけで、該画像範囲の最初の画像または最後の画像を指定せずに決定されるため、所望の画像範囲に正確にはならない。
【０００７】
本発明は、前述した課題に鑑みてなされたものであり、その目的は、最初の画像と最後の画像を指定することにより、２つ以上の連続した画像データについて誤消去防止の範囲設定が行なえ、そして最初の画像と最後の画像を指定することにより、２つ以上の連続した画像データについて誤消去防止解除の範囲設定が行なえるデジタルカメラを提供することにある。
【０００８】
【課題を解決するための手段】
前述した目的を達成するため、本発明のデジタルカメラは、請求項１に記載したように、
被写体像を撮像する撮像デバイスと、
前記撮像デバイスで撮像した被写体像の画像データが記録される記録媒体と、
前記記録媒体に記録されている画像データに対応する画像が所定の順番で表示される画像表示手段と、
前記画像表示手段により表示される画像から第１の画像を始端として選択し且つ第２の画像を終端として選択して誤消去防止設定の範囲指定を行なうための誤消去防止設定範囲指定手段と、
前記誤消去防止設定範囲指定手段により指定された前記第１の画像から前記第２の画像までの範囲の画像データそれぞれに、誤消去を防止する所定のフラグを付加するための誤消去防止設定手段と、
を備えていることを特徴としている。
【０００９】
請求項１に記載の発明によれば、デジタルカメラが、記録媒体に記録されている画像データに対応する画像が所定の順番で表示される画像表示手段と、画像表示手段により表示される画像から所望の第１の画像を始端として選択し且つ所望の第２の画像を終端として選択して誤消去防止設定の範囲指定を行なうための誤消去防止設定範囲指定手段と、誤消去防止設定範囲指定手段により指定された第１の画像から第２の画像までの範囲の画像データそれぞれに、誤消去を防止する所定のフラグを付加するための誤消去防止設定手段と、を備えているので、誤消去防止の設定を行ないたい複数の画像データそれぞれについて設定を行なう必要がなく、最初と最後の画像を指定するだけで簡単に誤消去防止の設定を所望の複数の画像に対して行なうことができる。
【００１０】
また、本発明のデジタルカメラは、請求項２に記載したように、前記記録媒体に記録されている画像データに対応する画像が前記画像表示手段に１つずつ一画面表示されることを特徴としている。
【００１１】
請求項２に記載の発明によれば、画像データが記録された記録媒体から読み出されて画像表示手段に１つずつ一画面表示される画像から所望の第１の画像および第２の画像を指定することにより、誤消去防止の範囲設定が行なえる。誤消去防止の範囲を、最初の画像と最後の画像で確認しながら設定できるため、設定が確実に行なえる。
【００１２】
また、本発明のデジタルカメラは、請求項３に記載したように、前記記録媒体に記録されている画像データに対応する画像が前記画像表示手段に一覧表示されることを特徴としている。
【００１３】
請求項３に記載の発明によれば、画像データが記録された記録媒体から読み出されて画像表示手段に一覧表示された複数の画像の中から所望の第１の画像および第２の画像を指定することにより、誤消去防止の範囲設定が行なえる。誤消去防止の範囲全体を確認しながら設定できるため、設定が確実に行なえる。
【００１４】
また、本発明のデジタルカメラは、請求項４に記載したように、前記誤消去防止設定手段により誤消去防止の設定が行なわれた画像データは、その対応する画像が、誤消去防止設定されていることを示すための少なくとも図形および文字の一方の表示を付加されて、前記画像表示手段に表示されることを特徴としている。
【００１５】
請求項４に記載の発明によれば、表示されている画像の誤消去防止設定の有無が直感的に把握できる。
【００１６】
また、本発明のデジタルカメラは、請求項５に記載したように、
前記画像表示手段により表示される誤消去防止設定された画像から２つの画像を選択して誤消去防止設定解除の範囲指定を行なうための誤消去防止設定解除範囲指定手段と、
前記誤消去防止設定解除範囲指定手段により指定された範囲における画像データそれぞれから、当該画像データに付加されている誤消去を防止する所定のフラグを解除するための誤消去防止設定解除手段と、
を更に備えていることを特徴としている。
【００１７】
請求項５に記載の発明によれば、デジタルカメラが、更に、前記画像表示手段により表示される誤消去防止設定された画像から２つの画像を選択して誤消去防止設定解除の範囲指定を行なうための誤消去防止設定解除範囲指定手段と、前記誤消去防止設定解除範囲指定手段により指定された範囲における画像データそれぞれから、当該画像データに付加されている誤消去を防止する所定のフラグを解除するための誤消去防止設定解除手段と、を備えているので、誤消去防止解除の設定を行ないたい複数の画像データそれぞれについて設定を行なう必要がなく、最初と最後の画像を指定するだけで簡単に誤消去防止解除の設定を所望の複数の画像に対して行なうことができる。
【００１８】
また、本発明のデジタルカメラは、請求項６に記載したように、前記記録媒体に記録されている画像データのうち、誤消去を防止する所定のフラグが付加された画像データに対応する画像だけが、前記画像表示手段に表示されることを特徴としている。
【００１９】
請求項６に記載の発明によれば、画像データが記録された記録媒体から誤消去防止が設定された画像だけが読み出されて画像表示手段に表示される画像から所望の２つの画像を指定することにより、誤消去防止解除の範囲設定が行なえる。誤消去防止解除の範囲を、最初の画像と最後の画像で確認しながら設定できるため、設定が確実に行なえる。
【００２０】
また、本発明のデジタルカメラは、請求項７に記載したように、前記誤消去防止設定解除手段により誤消去防止の設定解除が行なわれた画像データは、その対応する画像から、誤消去防止設定されていることを示すための前記表示が除去された状態で、前記画像表示手段に表示されることを特徴としている。
【００２１】
請求項７に記載の発明によれば、表示されている画像の誤消去防止設定の有無が直感的に把握できる。
【００２２】
以上、本発明について簡潔に説明した。更に、以下に説明される発明の実施の形態を添付の図面を参照して通読することにより、本発明の詳細は更に明確化されるであろう。
【００２３】
【発明の実施の形態】
以下、本発明の好適な実施形態を図面に基づいて詳細に説明する。図１は本発明に係るデジタルカメラの一実施形態の外観構成の一例を示す斜視図、そして図２は本発明に係るデジタルカメラの一実施形態のシステム構成例を示すブロック図である。尚、各図において共通する構成要素には同一符号を付して明確化を図る。
【００２４】
図１に示されるように、デジタルカメラ１００は、カメラ本体（即ち、筐体）２００と、該カメラ本体２００の内部に設けられた撮像デバイス１０２（図２参照）に被写体像を結像する光学系装置１０１と、撮影を実行するためのレリーズスイッチ１１６と、メモリスロット１４０と、該メモリスロット１４０に着脱自在に挿入され且つカメラ本体２００に保持される半導体記録メディア等のメモリーカード（記録媒体）１０８と、を備えている。尚、光学系装置１０１はカメラ本体２００の前面側に設けられ、そしてメモリスロット１４０はカメラ本体２００の一側面に設けられている。
【００２５】
また、図２に示されるように、デジタルカメラ１００は、更に、その信号処理システム構成として、前述の撮像デバイス１０２と、アナログ信号処理部１０３と、Ａ／Ｄ変換部１０４と、バッファメモリ１０５と、圧縮・伸長処理部１０６と、ＹＣ分離処理部１０７と、前述のメモリーカード１０８と、メディアインタフェース１０９と、外部装置インタフェース１１０と、ＹＣ→ＲＧＢ変換部１１１と、画像表示手段としての画像表示用ＬＣＤ（即ち、Ｌｉｑｕｉｄ　Ｃｒｙｓｔａｌ　Ｄｉｓｐｌａｙ）１１２と、ＬＣＤドライバ１１３と、操作部１１４と、操作画面用ＬＣＤ１１５と、前述のレリーズスイッチ１１６と、ＲＡＭ（即ち、Ｒａｎｄｏｍ　Ａｃｃｅｓｓ　Ｍｅｍｏｒｙ）１１７と、ＲＯＭ（即ち、Ｒｅａｄ−Ｏｎｌｙ　Ｍｅｍｏｒｙ）１２４と、制御手段としてのメインＣＰＵ（即ち、Ｃｅｎｔｒａｌ　Ｐｒｏｃｅｓｓｉｎｇ　Ｕｎｉｔ）１１８と、バッテリ１１９と、測光・測距ＣＰＵ１２０と、撮像系制御回路１２１と、充電・発光制御回路１２２と、ストロボ１２３と、を備えている。尚、図２に示されるデジタルカメラ１００の構成要素はカメラ本体２００に設けられている。また、図２に矢印で示されるように、デジタルカメラ１００の幾つかの構成要素は共通データバス１５０等を介して互いに所要の情報を送受信可能なように接続されている。
【００２６】
光学系装置１０１は、ＡＦレンズ等の撮影レンズ１０１ａおよび絞り１０１ｂ等を有している。撮影レンズ１０１ａは、被写体像を絞り１０１ｂを通して撮像デバイス１０２の受光面に結像させる。撮像デバイス１０２は、マトリクス状またはハニカム状に配置された多数の受光素子を有するＣＣＤ（即ち、Ｃｈａｒｇｅ−Ｃｏｕｐｌｅｄ　Ｄｅｖｉｃｅ）であり、各受光素子に入射する光の光量に応じた画像信号をアナログ信号処理部１０３に出力する。
【００２７】
アナログ信号処理部１０３は、入力された画像信号に、ノイズ低減処理、白バランス処理、γ処理、等の所定のアナログ信号処理を施し、処理後の信号をＡ／Ｄ変換部１０４へ出力する。Ａ／Ｄ変換部１０４は、入力されたアナログ信号をデジタル画像信号に変換してバッファメモリ１０５へ出力する。バッファメモリ１０５は、デジタル画像データをメモリーカード１０８に記録するに際し当該デジタル画像データを一旦蓄積するためのメモリである。
【００２８】
圧縮・伸長処理部１０６は、バッファメモリ１０５に蓄積された画像データをＪＰＥＧ（即ち、Ｊｏｉｎｔ　Ｐｈｏｔｏｇｒａｐｈｉｃ　Ｅｘｐｅｒｔｓ　Ｇｒｏｕｐ）方式等の所定の圧縮方式で圧縮してメモリーカード１０８に記録したり、その記録の際に、バッファメモリ１０５に蓄積された画像データを基に前述の所定の圧縮方式で圧縮された画像データよりもデータ量の少ないサムネイル画像データ（換言すれば、インデックス画像データ）を生成して、当該サムネイル画像データをメモリーカード１０８の所定の領域に前述の所定の圧縮方式で圧縮された画像データと関連付けて記録したりする。また、圧縮・伸長処理部１０６は、メモリーカード１０８から読み出された画像データの伸長も行なう。尚、サムネイル画像データの生成は、前述のようにメモリーカード１０８への記録時に行なう必要はなく、操作部１１４のモードダイヤル１１４ａ（後述）による再生表示モードの際に、メインＣＰＵ１１８が圧縮・伸長処理部１０６にメモリーカード１０８に記録された画像データを基に行なわせてもよい。また、画像表示用ＬＣＤ１１２で画像の一画面表示を行なう際に圧縮・伸長処理部１０６は一画面表示用の画像データを生成する。
【００２９】
ＹＣ分離処理部１０７は、圧縮・伸長処理部１０６に送られる未圧縮の画像データを輝度データＹと色差データＣｒ，Ｃｂとに変換する。メモリーカード１０８は、フラッシュメモリを搭載した小型の半導体記録メディア等であり、デジタルカメラ１００のカメラ本体２００に形成されたメモリスロット１４０内に交換可能に装着される。メモリーカード１０８への画像データの書き込み・読み出しは、メディアインタフェース１０９を介して行なわれる。
【００３０】
外部装置インタフェース１１０は、このデジタルカメラ１００と、パーソナルコンピュータ、プリンタ、等の外部装置との通信用インタフェースとして働く通信手段である。外部装置インタフェース１１０による外部装置との通信形態としては、ＵＳＢケーブル、プリンタケーブル、等で相互に接続して行なう有線通信、電波や赤外線を利用した無線通信、等が例として挙げられる。
【００３１】
ＹＣ→ＲＧＢ変換部１１１は、メモリーカード１０８に記録された静止画データ（即ち、画像データ）を画像表示用ＬＣＤ１１２に表示する際に、ＹＣ分離により生成された輝度信号および色差信号をＲＧＢ信号に変換する。このＲＧＢ信号に基づいてＬＣＤドライバ１１３が画像表示用ＬＣＤ１１２を駆動することにより、画像表示用ＬＣＤ１１２にカラー画像が表示される。尚、画像表示用ＬＣＤ１１２はカメラ本体２００の裏面に設けられている。
【００３２】
操作部１１４は、カメラ本体２００の例えば裏面に設けられており、図３に示されるように、モードダイヤル１１４ａと、十字キー１１４ｂと、メニュー／ＯＫボタン１１４ｃと、電源スイッチ１１４ｄと、キャンセルボタン１１４ｅと、を備えている。モードダイヤル１１４ａは回転ダイヤル式の切換スイッチであり、該モードダイヤル１１４ａを操作することにより、撮影モードと再生表示モードとを相互に切り換えたり、該再生表示モードとして１画面表示（即ち、１つの画像の一画面表示）モードまたはサムネイル表示（即ち、複数のサムネイル画像の一覧表示）モードに切り換えたりすることができる。尚、誤消去防止の設定および誤消去防止解除の設定は、１画面表示モード、サムネイル表示モードのいずれのモードでも可能である。
【００３３】
また、１画面表示モードにおいて十字キー１１４ｂを操作することにより、画像表示用ＬＣＤ１１２に表示される画像を１つずつ進めたり戻したりすることができ、サムネイル表示モードにおいて十字キー１１４ｂを操作することにより、画像表示用ＬＣＤ１１２に表示されている複数の縮小画像（即ち、サムネイル画像）の中の任意の縮小画像を選択することができるようになっている。また、誤消去防止メニューまたは誤消去防止解除メニューが表示されている際に、十字キー１１４ｂの左右矢印キーは、画像を移動させたり選択したりする機能ではなく、対応する画像を誤消去防止設定の範囲の始端または終端として設定するための機能や、対応する画像を誤消去防止解除設定の範囲の始端または終端として設定するための機能を有する操作子として働く。
【００３４】
また、メニュー／ＯＫボタン１１４ｃは、撮影および表示の各モードにおいて各種機能をメニュー表示させたり、各メニューの設定を確定させたりするための押ボタンスイッチである。更に、キャンセルボタン１１４ｅは、各メニューの設定等において表示を１つ前に戻したりする機能を有する押ボタンスイッチである。
【００３５】
十字キー１１４ｂ、メニュー／ＯＫボタン１１４ｃ、キャンセルボタン１１４ｅ、等は、メインＣＰＵ１１８と協働して、画像表示用ＬＣＤ１１２により表示される画像から第１の画像を始端として選択し且つ第２の画像を終端として選択して誤消去防止設定の範囲指定を行なうための誤消去防止設定範囲指定手段として、更には、画像表示用ＬＣＤ１１２により表示される誤消去防止設定された画像から２つの画像を選択して誤消去防止設定解除の範囲指定を行なうための誤消去防止設定解除範囲指定手段としても働く。
【００３６】
操作画面用ＬＣＤ１１５には、その時のモードやバッテリ１１９の状態の他、各種メッセージ等が表示される。尚、操作画面用ＬＣＤ１１５はカメラ本体２００の裏面に設けられている。
【００３７】
レリーズスイッチ１１６は、デジタルカメラ１００に撮影開始を指示するためのスイッチであり、このスイッチを途中まで押すと、光学系装置１０１のフォーカス制御や絞り制御が行なわれ、完全に押した時点で撮影、即ち、撮像デバイス１０２、アナログ信号処理部１０３およびＡ／Ｄ変換部１０４による被写体像の取り込みが行なわれる。その際、光学系装置１０１は、測光・測距ＣＰＵ１２０によって制御され、撮像デバイス１０２等は、撮像系制御回路１２１によって制御される。また、被写体像自体や撮影現場全体の明るさに応じて充電・発光制御回路１２２が作動し、当該充電・発光制御回路１２２により撮影タイミングに合わせてストロボ１２３が発光駆動される。
【００３８】
ＲＡＭ１１７は、メインＣＰＵ１１８が各種処理を実行するための作業領域として使用される。ＲＯＭ１２４には、このデジタルカメラ１００の各種機能を実現するための処理プログラムが格納されている。メインＣＰＵ１１８は、このＲＯＭ１２４に記録されている処理プログラムを実行し且つ該処理プログラムに従ってデジタルカメラ１００のシステム全体を制御する制御手段として働く。また、メインＣＰＵ１１８は、前述の誤消去防止設定範囲指定手段により指定された第１の画像から第２の画像までの範囲の画像データそれぞれに、誤消去を防止する所定のフラグを付加するための誤消去防止設定手段と、誤消去防止設定範囲指定手段による画像の範囲指定に係る各構成要素の一連の動作を制御し且つ、誤消去防止設定手段に誤消去防止の設定を行なわせる誤消去防止設定制御手段と、前述の誤消去防止設定解除範囲指定手段により指定された範囲における画像データそれぞれから、当該画像データに付加されている誤消去を防止する所定のフラグを解除するための誤消去防止設定解除手段と、誤消去防止設定解除範囲指定手段による画像の範囲指定に係る各構成要素の一連の動作を制御し且つ、誤消去防止設定解除手段に誤消去防止の設定を解除させる誤消去防止設定解除制御手段と、を機能として備えている。
【００３９】
次に、上記のように構成されたデジタルカメラ１００による画像データの誤消去防止設定動作について、図４に示すフローチャートを参照して説明する。尚、デジタルカメラ１００の一連の動作はメインＣＰＵ１１８によって制御される。
【００４０】
以下、デジタルカメラ１００のメモリーカード１０８に記録された複数の画像データについて誤消去防止の設定を任意の範囲に渡って行なう場合の動作フローを説明する。先ず、はじめに、画像表示用ＬＣＤ１１２に画像が１つずつ表示される一画面表示モードでの動作について説明する。
【００４１】
デジタルカメラ１００を再生表示モードにすると（即ち、ステップＳ１０１）、メモリーカード１０８に記録されている画像データに対応する各画像が画像表示用ＬＣＤ１１２に一画面表示される。操作部１１４にある十字キー１１４ｂを操作すると表示画像が１つずつ切換えられるので、誤消去防止の設定範囲の始端となる画像を探して選択する（即ち、ステップＳ１０２）。図５（ａ）に示されるように誤消去防止の設定範囲の始端となる任意の画像を選択した（即ち、画像表示用ＬＣＤ１１２に表示させた）後、操作部１１４のメニュー／ＯＫボタン１１４ｃを押して、メニュー（不図示）を表示させる。
【００４２】
そして、十字キー１１４ｂを操作して誤消去防止設定メニューを選択し、再度メニュー／ＯＫボタン１１４ｃを押すと誤消去防止設定メニューに入る（即ち、ステップＳ１０３）。このときの画像表示は、図５（ｂ）に示すように上下に２本の色付き（例えば、黄色）のラインが表示され、誤消去防止設定メニューになっていることが示される。
【００４３】
次に、十字キー１１４ｂの右矢印キーを押すと、図５（ｃ）に示されるように画像の左側に縦のラインが表示され、誤消去防止の設定が「ここから」開始するという意味の表示となる（即ち、ステップＳ１０４）。
【００４４】
尚、デジタルカメラ１００では、表示される画像は撮影順に右側に表示されるものとし、従って、図５（ｃ）に示されるように逆コの字形にラインが表示されることで、この画像が誤消去防止の設定範囲の始端となる第１の画像であって、これより右側の画像（即ち、後で撮影した画像）が誤消去防止の設定対象になるということが視覚的に把握できる。このように、誤消去防止設定範囲の始端となる画像の選択を、以降は、「ここから」の画像の選択と称する。
【００４５】
「ここから」の画像の選択を確定したくない場合、キャンセルボタン１１４ｅを押すと１つ前の表示、即ち、図５（ｂ）の表示に戻り（即ち、ステップＳ１０５が『ＮＯ』の場合）、再びキャンセルボタン１１４ｅを押すと更に１つ前の表示、即ち、図５（ａ）の表示に戻り、十字キー１１４ｂにより誤消去防止の設定範囲の始端となる画像を選択できる状態となる。尚、キャンセルボタン１１４ｅを押せば、いずれの場面でも１つ前の表示に戻すことができる。一方、「ここから」の画像の選択を確定する場合、メニュー／ＯＫボタン１１４ｃを押すと（即ち、ステップＳ１０５が『ＹＥＳ』の場合）、誤消去防止の範囲設定における始端（即ち、「ここから」）となる第１の画像が確定する（即ち、ステップＳ１０６）。
【００４６】
次に、ステップＳ１０７では、誤消去防止の範囲設定が完了したかどうかを監視する。現段階では、まだ「ここから」の画像しか確定していないので（即ち、ステップＳ１０７が『ＮＯ』の場合）、ステップＳ１０８に進み、ここで、誤消去防止の設定範囲の終端となる画像の選択を行なうかどうかを判断する。ステップＳ１０８では、範囲設定のためにもう一つの画像の選択を促すメッセージを表示させてもよい。
【００４７】
誤消去防止の設定範囲の終端となる画像を選択する場合（即ち、ステップＳ１０８が『ＹＥＳ』の場合）、一旦誤消去防止メニューが終了して（即ち、ステップＳ１０９）、画像の再生表示モードに戻り、十字キー１１４ｂの左右矢印キーで画像が選択できるようになる。即ちステップＳ１０２に戻り、画像表示用ＬＣＤ１１２にはメモリーカード１０８に記録されている画像データの画像が表示されるので、十字キー１１４ｂを操作して、今度は、誤消去防止の設定範囲の終端となる画像を表示させる。図６（ａ）に示されるように、誤消去防止の設定範囲の終端となる任意の画像を選択したら、操作部１１４のメニュー／ＯＫボタン１１４ｃを押して、メニュー（不図示）を表示させる。
【００４８】
十字キー１１４ｂを操作して誤消去防止設定メニューを選択し、再度メニュー／ＯＫボタン１１４ｃを押すと誤消去防止設定メニューに入る（即ち、ステップＳ１０３）。このときの画像表示は、図６（ｂ）に示されるように上下に２本の色付き（例えば、黄色）のラインが表示され、誤消去防止設定メニューになっていることが示される。
【００４９】
次に、十字キー１１４ｂの左矢印キーを押すと、図６（ｃ）に示されるように画像の右側に縦のラインが表示され、誤消去防止の設定が「ここまで」であるという意味の表示となる（即ち、ステップＳ１０４）。
【００５０】
つまり、図６（ｃ）に示されるようにコの字形にラインが表示されることで、この画像が誤消去防止の設定範囲の終端となる第２の画像であって、これより左側の画像が誤消去防止の設定対象になるということが視覚的に把握できる。このように、誤消去防止設定範囲の終端となる画像の選択を、以降は、「ここまで」の画像の選択と称する。
【００５１】
「ここまで」の画像の選択を確定したくない場合、キャンセルボタン１１４ｅを押すと１つ前の表示、即ち、図６（ｂ）の表示に戻り（即ち、ステップＳ１０５が『ＮＯ』の場合）、再びキャンセルボタン１１４ｅを押すと更に１つ前の表示、即ち、図６（ａ）の表示に戻り、十字キー１１４ｂにより誤消去防止の設定範囲の終端となる画像を選択できる状態となる。一方、「ここまで」の画像の選択を確定する場合、メニュー／ＯＫボタン１１４ｃを押すと（即ち、ステップＳ１０５が『ＹＥＳ』の場合）、誤消去防止の範囲設定における終端（即ち、「ここまで」）となる第２の画像が確定する（即ち、ステップＳ１０６）。
【００５２】
次に、ステップＳ１０７では、誤消去防止の範囲設定が完了したかどうかを監視する。現段階では、「ここから」の画像と「ここまで」の画像が確定したので（即ち、ステップＳ１０７が『ＹＥＳ』の場合）、ステップＳ１１０に進み、この範囲設定でよいかどうかを確認する最終メッセージ（不図示）が表示される。この誤消去防止の範囲設定を確定したくない場合、最終メッセージに従い十字キー１１４ｂを操作して「いいえ」を選択すると（即ち、ステップＳ１１０が『ＮＯ』の場合）、ステップＳ１０２に戻り、再び「ここから」の画像の選択からやり直すことができる。一方、この誤消去防止の範囲設定を確定する場合、メニュー／ＯＫボタン１１４ｃを押すと（即ち、ステップＳ１１０が『ＹＥＳ』の場合）、図５（ｃ）の画像から図６（ｃ）の画像までの連続した各画像データに誤消去防止のフラグが付加される（即ち、ステップＳ１１１）。
【００５３】
尚、誤消去防止のフラグは、画像データと同じ領域に所定のデータとして付加してもよいし、メモリーカード１０８のデータ管理エリアにファイル管理テーブルを作成し、画像データに対応する画像ファイルのファイル属性情報として付加してもよい。
【００５４】
誤消去防止のフラグが設定範囲内の全ての画像データに付加されたら、誤消去防止メニューが終了して（即ち、ステップＳ１１２）、一連の誤消去防止設定動作が終了する。尚、ステップＳ１０８の「誤消去防止の設定範囲の終端となる画像の選択を行なうかどうかを判断する」ステップについては、サムネイル表示モードでの動作の説明において詳細に説明する。
【００５５】
尚、１つの画像データだけに誤消去防止設定を行なうことも可能であり、このようにする場合、誤消去防止の設定を行なう画像データの画像を画像表示用ＬＣＤ１１２に一画面表示後、例えば十字キー１１４ｂの左右矢印キーを同時に押すことによって、例えば画像の左右両側に上下２本のラインとロの字を形成するように縦のライン２本を表示させ、そしてメニュー／ＯＫボタン１１４ｃを押すことで当該画像データに誤消去防止のフラグが付加されるようにしてもよい。
【００５６】
次に、画像表示用ＬＣＤ１１２に複数の縮小画像が表示されるサムネイル表示モードでの動作について、前述の一画面表示モードでの動作説明と同様に、図４を参照して説明する。デジタルカメラを再生表示モードにすると（即ち、ステップＳ１０１）、メモリーカード１０８に記録されている全ての画像データにそれぞれ対応するサムネイル画像のうち所定数（本実施形態では、１２個）のサムネイル画像が画像表示用ＬＣＤ１１２に一覧表示される。操作部１１４にある十字キー１１４ｂを操作すると、図７（ａ）に示されるように、枠状の強調表示が各サムネイル画像を移動するので、誤消去防止の設定範囲の始端となるサムネイル画像を探して選択する（即ち、ステップＳ１０２）。誤消去防止の設定範囲の始端となる任意の画像（図７（ａ）の場合はＮｏ．３のサムネイル画像）が選択されたら、操作部１１４のメニュー／ＯＫボタン１１４ｃを押して、メニュー（不図示）を表示させる。
【００５７】
そして、十字キー１１４ｂを操作して誤消去防止設定メニューを選択し、再度メニュー／ＯＫボタン１１４ｃを押すと誤消去防止設定メニューに入る（即ち、ステップＳ１０３）。このときのＮｏ．３のサムネイル画像は、図７（ｂ）に示すように上下に２本の色付き（例えば、黄色）のラインが表示され、誤消去防止設定メニューになっていることが示される。
【００５８】
次に、十字キー１１４ｂの右矢印キーを押すと、図７（ｃ）に示されるようにＮｏ．３のサムネイル画像の左側に縦のラインが表示され、誤消去防止の設定が「ここから」開始するという意味の表示となる（即ち、ステップＳ１０４）。
【００５９】
図７（ｃ）に示されるように逆コの字形にラインが表示されることで、このサムネイル画像に対応する画像が誤消去防止の設定範囲の始端となる第１の画像であって、これより後に続く画像（即ち、後で撮影した画像）が誤消去防止の設定対象になるということが視覚的に把握できる。
【００６０】
「ここから」の画像の選択を確定したくない場合、キャンセルボタン１１４ｅを押すと１つ前の表示、即ち、図７（ｂ）の表示に戻り（即ち、ステップＳ１０５が『ＮＯ』の場合）、再びキャンセルボタン１１４ｅを押すと更に１つ前の表示、即ち、図７（ａ）の表示に戻り、十字キー１１４ｂにより誤消去防止の設定範囲の始端となる画像を選択できる状態となる。一方、「ここから」の画像の選択を確定する場合、メニュー／ＯＫボタン１１４ｃを押すと（即ち、ステップＳ１０５が『ＹＥＳ』の場合）、誤消去防止の範囲設定における始端（即ち、「ここから」）となる第１の画像が確定する（即ち、ステップＳ１０６）。
【００６１】
次に、ステップＳ１０７では、誤消去防止の範囲設定が完了したかどうかを監視する。現段階では、まだ「ここから」の画像しか確定していないので（即ち、ステップＳ１０７が『ＮＯ』の場合）、ステップＳ１０８に進み、ここで、誤消去防止の設定範囲の終端となる画像の選択を行なうかどうかを判断する。ステップＳ１０８では、範囲設定のためにもう一つの画像の選択を促すメッセージを表示させてもよい。
【００６２】
誤消去防止の設定範囲の終端となる画像を選択する場合（即ち、ステップＳ１０８が『ＹＥＳ』の場合）、一旦誤消去防止メニューが終了して（即ち、ステップＳ１０９）、画像の再生表示モードに戻り、十字キー１１４ｂの左右矢印キーで画像が選択できるようになる。即ちステップＳ１０２に戻り、画像表示用ＬＣＤ１１２は、サムネイル表示のままで、Ｎｏ．３の画像が始端として選択されたことを示すラインの表示も残るので、十字キー１１４ｂを操作して、今度は、図８（ａ）に示されるように誤消去防止の設定範囲の終端となる画像を選択する状態となる。誤消去防止の設定範囲の終端となる任意の画像（図８（ａ）の場合、Ｎｏ．７のサムネイル画像）を選択したら、操作部１１４のメニュー／ＯＫボタン１１４ｃを押して、メニュー（不図示）を表示させる。
【００６３】
十字キー１１４ｂを操作して誤消去防止設定メニューを選択し、再度メニュー／ＯＫボタン１１４ｃを押すと誤消去防止設定メニューに入る（即ち、ステップＳ１０３）。このときのサムネイル画像には、上下に２本の色付き（例えば、黄色）のラインが表示され、誤消去防止設定メニューになっていることが示される。
【００６４】
次に、十字キー１１４ｂの左矢印キーを押すと、図８（ｂ）に示されるようにＮｏ．７のサムネイル画像の右側に縦のラインが表示され、誤消去防止の設定が「ここまで」であるという意味の表示となる（即ち、ステップＳ１０４）。同時に、図８（ｃ）に示すように、その間にあるＮｏ．４からＮｏ．６までのサムネイル画像にも上下に色付きのラインが表示される。
【００６５】
つまり、図８（ｂ）に示されるようにコの字形にラインが表示されることで、この画像が誤消去防止の設定範囲の終端となる第２の画像であって、これより左側（前）の画像が誤消去防止の設定対象になるということが視覚的に把握できる。また、図８（ｃ）に示すように、Ｎｏ．３からＮｏ．７までのサムネイル画像がラインで囲まれたような表示になるため、誤消去防止の設定範囲が直感的に把握できる。
【００６６】
「ここまで」の画像の選択を確定したくない場合、キャンセルボタン１１４ｅを押すと１つ前の表示、即ち、図８（ｂ）の表示に戻り（即ち、ステップＳ１０５が『ＮＯ』の場合）、再びキャンセルボタン１１４ｅを押すと更に１つ前の表示、即ち、図８（ａ）の表示に戻り、十字キー１１４ｂにより誤消去防止の設定範囲の終端となる画像を選択できる状態となる。一方、「ここまで」の画像の選択を確定する場合、メニュー／ＯＫボタン１１４ｃを押すと（即ち、ステップＳ１０５が『ＹＥＳ』の場合）、誤消去防止の範囲設定における終端（即ち、「ここまで」）となる第２の画像が確定する（即ち、ステップＳ１０６）。
【００６７】
次に、ステップＳ１０７では、誤消去防止の範囲設定が完了したかどうかを監視する。現段階では、「ここから」の画像と「ここまで」の画像が確定したので（即ち、ステップＳ１０７が『ＹＥＳ』の場合）、ステップＳ１１０に進み、この範囲設定でよいかどうかを確認する最終メッセージ（不図示）が表示される。この誤消去防止の範囲設定を確定したくない場合、最終メッセージに従い十字キー１１４ｂを操作して「いいえ」を選択すると（即ち、ステップＳ１１０が『ＮＯ』の場合）、ステップＳ１０２に戻り、再び「ここから」の画像の選択からやり直すことができる。一方、この誤消去防止の範囲設定を確定する場合、メニュー／ＯＫボタン１１４ｃを押すと（即ち、ステップＳ１１０が『ＹＥＳ』の場合）、図８（ｃ）で示すＮｏ．３からＮｏ．７までのサムネイル画像に対応する連続した各画像データに誤消去防止のフラグが付加される（即ち、ステップＳ１１１）。
【００６８】
尚、誤消去防止のフラグは、画像データと同じ領域に所定のデータとして付加してもよいし、メモリーカード１０８のデータ管理エリアにファイル管理テーブルを作成し、画像データに対応する画像ファイルのファイル属性情報として付加してもよい。
【００６９】
誤消去防止のフラグが設定範囲内の全ての画像データに付加されたら、誤消去防止メニューが終了して（即ち、ステップＳ１１２）、一連の誤消去防止設定動作が終了する。
【００７０】
ここで、ステップＳ１０８の「誤消去防止の設定範囲の終端となる画像の選択を行なうかどうかを判断する」ステップについて詳細に説明する。デジタルカメラ１００では、誤消去防止の範囲設定を簡略化するために、例えば、「ここから」の画像だけを設定して誤消去防止の範囲設定を終了する場合には、「ここから」の画像から以降の全ての画像に誤消去防止の設定を行なうと判断するように設定している。
【００７１】
この動作について図９を用いて具体的に説明する。図９（ａ）は、図４のステップＳ１０１からステップＳ１０４の手順で任意の画像（ここでは、Ｎｏ．３のサムネイル画像）を選択した状態を示し、そして図９（ｂ）は、ステップＳ１０６までの手順で誤消去防止範囲の始端（即ち、「ここから」）の設定を完了した状態を示す。
【００７２】
この後、通常は、まだ「ここまで」の画像が設定されていないためステップＳ１０７からステップＳ１０８、そしてステップＳ１０９へと進む。しかし、残りの設定（即ち、「ここまで」の設定）を行なわないように選択した場合（即ち、ステップＳ１０８が『ＮＯ』の場合）、確認メッセージ（不図示）が表示され、ここでメニュー／ＯＫボタン１１４ｃを押すと、最後の画像（この場合、Ｎｏ．１２のサムネイル画像）が「ここまで」の画像と見なされる（即ち、ステップＳ１１３）。従って、誤消去防止の範囲表示は図９（ｃ）のようになる。尚、ここでは、メモリーカードに記録されている画像データはＮｏ．１２までであるとして説明しているが、画像データが多く、サムネイル画像が複数のページに渡る場合は、その最終ページの最終画像が「ここまで」の画像となる。
【００７３】
同様に、「ここまで」の画像だけを設定して誤消去防止の範囲設定を終了する場合には、「ここまで」の画像から前の全ての画像に誤消去防止の設定を行なうと判断するように設定している。
【００７４】
この動作について図１０を用いて具体的に説明する。図１０（ａ）は、図４のステップＳ１０１からステップＳ１０４の手順で任意の画像（ここでは、Ｎｏ．７のサムネイル画像）を選択した状態を示し、そして図１０（ｂ）は、ステップＳ１０６までの手順で誤消去防止範囲の終端（即ち、「ここまで」）の設定を完了した状態を示している。
【００７５】
この後、通常は、まだ「ここから」の画像が設定されていないためステップＳ１０７からステップＳ１０８、そしてステップＳ１０９へと進む。しかし、残りの設定（即ち、「ここから」の設定）を行なわないように選択した場合（即ち、ステップＳ１０８が『ＮＯ』の場合）、確認メッセージ（不図示）が表示され、ここでメニュー／ＯＫボタン１１４ｃを押すと、最初の画像（この場合、Ｎｏ．１のサムネイル画像）が「ここから」の画像と見なされる（即ち、ステップＳ１１３）。従って、誤消去防止の範囲表示は図１０（ｃ）のようになる。
【００７６】
図９（ｃ）や図１０（ｃ）のように範囲の簡略設定が行なわれた後、対応する連続した各画像データに誤消去防止のフラグが付加される（即ち、ステップＳ１１１）。誤消去防止のフラグが設定範囲内の全ての画像データに付加されたら、誤消去防止メニューが終了して（即ち、ステップＳ１１２）、一連の誤消去防止設定動作が終了する。
【００７７】
以上の説明からも判るように、誤消去防止範囲の設定においては、「ここから」の画像、「ここまで」の画像、のいずれを先に指定してもかまわない。尚、１つの画像データだけに誤消去防止設定を行なうことも可能であり、このようにする場合、メモリーカード１０８に記録されている全ての画像データのサムネイル画像を画像表示用ＬＣＤ１１２に一覧表示して誤消去防止の設定を行なう画像を選択後、例えば十字キー１１４ｂの左右矢印キーを同時に押すことによって、例えば画像の左右両側に上下２本のラインとロの字を形成するように縦のライン２本を表示させ、そしてメニュー／ＯＫボタン１１４ｃを押すことで当該画像データに誤消去防止のフラグが付加されるようにしてもよい。
【００７８】
次に、上記のように構成されたデジタルカメラ１００による画像データの誤消去防止設定の解除動作について、図１１に示されるフローチャートを参照して説明する。尚、デジタルカメラの一連の動作はメインＣＰＵ１１８によって制御される。
【００７９】
以下、デジタルカメラ１００のメモリーカード１０８に記録された複数の画像データについて誤消去防止解除の設定を任意の範囲に渡って行なう場合の動作フローを説明する。誤消去防止解除の設定は、１画面表示モード、サムネイル表示モードのいずれのモードでも可能であり、ここではサムネイル表示モードについて説明するが、１画面表示モードにおける誤消去防止解除の設定については、これから行なうサムネイル表示モードにおける誤消去防止解除の設定についての説明および前述の誤消去防止の設定についての説明から容易に類推可能であるためその詳細な説明を省略する。
【００８０】
デジタルカメラ１００を再生表示モードにし（即ち、ステップＳ２０１）、メニュー／ＯＫボタン１１４ｃを押してメニュー（不図示）を表示し、十字キー１１４ｂを操作して誤消去防止解除メニューを選択すると（即ち、ステップＳ２０２）、画像表示用ＬＣＤ１１２にはメモリーカード１０８に記録されている全ての画像データのうち、誤消去防止設定が行なわれている画像データに対応するサムネイル画像だけが表示される（一方、１画面表示モードの場合、誤消去防止設定が行なわれている画像データに対応する各画像についてのみ一画面表示が行なわれるようになっている）。図１２（ａ）はその様子を示した模式図であり、Ｎｏ．１からＮｏ．５まで、Ｎｏ．６からＮｏ．７まで、Ｎｏ．８からＮｏ．１０まで、Ｎｏ．１１から・・・まで、というように、誤消去防止の範囲（グループ）が複数設定されている様子も明確に把握できる。
【００８１】
そして、十字キー１１４ｂを操作して、図１２（ｂ）に示されるように、枠状の強調表示を付して誤消去防止解除の設定範囲の始端となる任意の画像（図１２（ｂ）の場合はＮｏ．１のサムネイル画像）を選択し（即ち、ステップＳ２０３）、一度メニュー／ＯＫボタン１１４ｃを押してから、十字キー１１４ｂの右矢印キーを押すと、当該画像に逆コの字形の破線ラインが図１２（ｃ）に示すように表示され、誤消去防止解除の設定が「ここから」開始するという意味の表示となる（即ち、ステップＳ２０４）。この表示により、Ｎｏ．１のサムネイル画像が誤消去防止解除の設定範囲の始端で、これより後ろの画像が誤消去防止解除の設定対象になるということが視覚的に把握できる。
【００８２】
「ここから」の画像の選択を確定したくない場合、キャンセルボタン１１４ｅを押すと１つ前の表示に戻り（即ち、ステップＳ２０５が『ＮＯ』の場合）、再度十字キー１１４ｂによる範囲指定が行なえる。一方、「ここから」の画像の選択を確定する場合、メニュー／ＯＫボタン１１４ｃを押すと（即ち、ステップＳ２０５が『ＹＥＳ』の場合）、誤消去防止解除の範囲設定における始端（即ち、「ここから」）となる第３の画像が確定する（即ち、ステップＳ２０６）。
【００８３】
次に、ステップＳ２０７では、誤消去防止解除の範囲設定が完了したかどうかを監視する。現段階では、まだ「ここから」の画像しか確定していないので（即ち、ステップＳ２０７が『ＮＯ』の場合）、ステップＳ２０８に進み、ここで、誤消去防止解除の設定範囲の終端となる画像の選択を行なうかどうかを判断する。ステップＳ２０８では、範囲設定のためにもう一つの画像の選択を促すメッセージを表示させてもよい。
【００８４】
誤消去防止解除の設定範囲の終端となる画像を選択する場合（即ち、ステップＳ２０８が『ＹＥＳ』の場合）、ステップＳ２０３に戻り、十字キー１１４ｂの左右矢印キーで画像が選択できるようになる。画像表示用ＬＣＤ１１２はサムネイル画像の一覧表示のままで、Ｎｏ．１の画像が誤消去防止解除設定範囲の始端として選択されたことを示す破線ラインの表示も残る。十字キー１１４ｂを操作して、今度は、誤消去防止解除の設定範囲の終端となる画像を選択する。図１２（ｃ）に示すように、誤消去防止解除の設定範囲の終端となる任意の画像（ここでは、Ｎｏ．３のサムネイル画像）を選択したら、一度メニュー／ＯＫボタン１１４ｃを押してから、十字キー１１４ｂの左矢印キーを押すと、Ｎｏ．３のサムネイル画像にコの字形の破線ラインが表示され（図示省略）、誤消去防止解除の設定が「ここまで」であるという意味の表示となる（即ち、ステップＳ２０４）。この表示により、Ｎｏ．３のサムネイル画像が誤消去防止解除の設定範囲の終端となる画像であって、これより前の画像が誤消去防止解除の設定対象になるということが視覚的に把握できる。
【００８５】
同時に、Ｎｏ．１からＮｏ．３までのサムネイル画像に表示されていた誤消去防止設定の色付きのラインが消去され、図１２（ｄ）のように元の表示となる。Ｎｏ．１からＮｏ．３までのサムネイル画像の誤消去防止設定の表示が消去されるため、誤消去防止解除の設定範囲が直感的に把握できる。
【００８６】
「ここまで」の画像の選択を確定したくない場合、キャンセルボタン１１４ｅを押すと１つ前の表示、即ち、図１２（ｃ）の表示に戻り（即ち、ステップＳ２０５が『ＮＯ』の場合）、再度十字キー１１４ｂによる範囲指定が行なえる。一方、「ここまで」の画像の選択を確定する場合、メニュー／ＯＫボタン１１４ｃを押すと（即ち、ステップＳ２０５が『ＹＥＳ』の場合）、誤消去防止解除の範囲設定における端部（即ち、「ここまで」）となる第４の画像が確定する（即ち、ステップＳ２０６）。
【００８７】
次に、ステップＳ２０７では、誤消去防止解除の範囲設定が完了したかどうかを監視する。現段階では、「ここから」の画像と「ここまで」の画像が確定したので（即ち、ステップＳ２０７が『ＹＥＳ』の場合）、ステップＳ２０９に進み、この範囲設定でよいかどうかを確認する最終メッセージ（不図示）が表示される。この誤消去防止解除の範囲設定を確定したくない場合、最終メッセージに従い十字キー１１４ｂを操作して「いいえ」を選択すると（即ち、ステップＳ２０９が『ＮＯ』の場合）、ステップＳ２０２に戻り、再び「ここから」の画像の選択からやり直すことができる。一方、この誤消去防止解除の範囲設定を確定する場合、メニュー／ＯＫボタン１１４ｃを押すと（即ち、ステップＳ２０９が『ＹＥＳ』の場合）、図１２（ｄ）で示すＮｏ．１からＮｏ．３までのサムネイル画像に対応する連続した各画像データに付加された誤消去防止のフラグが消去される（即ち、ステップＳ２１０）。
【００８８】
誤消去防止のフラグが設定範囲内の全ての対応する画像データから消去されたら、誤消去防止解除メニューが終了して（即ち、ステップＳ２１１）、一連の誤消去防止解除設定動作が終了する。
【００８９】
ここで、ステップＳ２０８の「誤消去防止解除の設定範囲の終端となる画像の選択を行なうかどうかを判断する」ステップについて詳細に説明する。デジタルカメラ１００では、誤消去防止解除の範囲設定を簡略化するために、例えば、「ここから」の画像だけを設定して誤消去防止解除の範囲設定を終了する場合には、「ここから」の画像が属する誤消去防止設定範囲（グループ）の、その画像以降の全ての画像について誤消去防止設定の解除を行なうと判断するように設定している。
【００９０】
この動作について図１３を用いて具体的に説明する。図１３（ａ）に示すような誤消去防止設定が行なわれたサムネイル画像において、図１３（ｂ）は、図１１のステップＳ２０１からステップＳ２０３の手順で任意のサムネイル画像（ここでは、Ｎｏ．１の画像）を選択した状態を示す。また、図１３（ｃ）は、ステップＳ２０６までの手順で誤消去防止解除範囲の始端（即ち、「ここから」）の設定を完了した状態を示す。
【００９１】
この後、通常は、まだ「ここまで」の画像が設定されていないためステップＳ２０７からステップＳ２０８、そしてステップＳ２０３へと進む。しかし、残りの設定（即ち、「ここまで」の設定）を行なわないように選択した場合（即ち、ステップＳ２０８が『ＮＯ』の場合）、確認メッセージ（不図示）が表示され、ここでメニュー／ＯＫボタン１１４ｃを押すと、この誤消去防止設定範囲（即ち、Ｎｏ．１のサムネイル画像からＮｏ．５のサムネイル画像までのグループ）における最後の画像（この場合、Ｎｏ．５のサムネイル画像）が「ここまで」の画像と見なされる（即ち、ステップＳ２１２）。従って、誤消去防止解除の範囲表示は図１３（ｄ）のようになる。
【００９２】
同様に、「ここまで」の画像だけを設定して誤消去防止解除の範囲設定を終了する場合には、「ここまで」の画像が属する誤消去防止設定範囲（グループ）の、その画像以前の全ての画像に誤消去防止設定の解除を行なうと判断するように設定している。
【００９３】
この動作について図１４を用いて具体的に説明する。図１４（ａ）に示すような誤消去防止設定が行なわれたサムネイル画像において、図１４（ｂ）は、図１１のステップＳ２０１からステップＳ２０３の手順で任意のサムネイル画像（ここでは、Ｎｏ．４のサムネイル画像）を選択した状態を示す。また、図１４（ｃ）は、ステップＳ２０６までの手順で誤消去防止解除範囲の終端（即ち、「ここまで」）の設定を完了した状態を示す。
【００９４】
この後、通常は、まだ「ここから」の画像が設定されていないためステップＳ２０７からステップＳ２０８、そしてステップＳ２０３へと進む。しかし、残りの設定（即ち、「ここから」の設定）を行なわないように選択した場合（即ち、ステップＳ２０８が『ＮＯ』の場合）、確認メッセージ（不図示）が表示され、ここでメニュー／ＯＫボタン１１４ｃを押すと、この誤消去防止設定範囲（即ち、Ｎｏ．１のサムネイル画像からＮｏ．５のサムネイル画像までのグループ）における最初の画像（この場合、Ｎｏ．１の画像）が「ここから」の画像と見なされる（即ち、ステップＳ２１２）。従って、誤消去防止解除の範囲表示は図１４（ｄ）のようになる。
【００９５】
図１３（ｄ）や図１４（ｄ）のように誤消去防止解除範囲の簡略設定が行なわれた後、対応する連続した各画像データから誤消去防止のフラグが消去される（即ち、ステップＳ２１０）。誤消去防止のフラグが設定範囲内の全ての対応する画像データから消去されたら、誤消去防止解除メニューが終了して（即ち、ステップＳ２１１）、一連の誤消去防止解除設定動作が終了する。
【００９６】
以上の説明からも判るように、誤消去防止解除範囲の設定においては、「ここから」の画像、「ここまで」の画像いずれを先に指定してもかまわない。
【００９７】
ところで、誤消去防止解除の範囲設定を行なう場合、複数の誤消去防止設定範囲（グループ）にまたがって解除の範囲設定を行なうことも可能である。図１５を用いて具体的に説明する。図１５（ａ）に示すようにＮｏ．２のサムネイル画像を選択して、図１５（ｂ）に示すように解除範囲の「ここから」の画像として指定し、次に、図１５（ｃ）に示すようにＮｏ．８のサムネイル画像を解除範囲の「ここまで」の画像として選択すると、指定した通り、Ｎｏ．２からＮｏ．８までの画像データに対応する誤消去防止フラグが解除される。このとき、Ｎｏ．１からＮｏ．２までの誤消去防止設定範囲（グループ）のうち、残ったＮｏ．１の画像は一つだけで１つのグループとなり、また、Ｎｏ．８からＮｏ．１０までの誤消去防止設定範囲（グループ）のうち、残ったＮｏ．９とＮｏ．１０の画像が２つで１つのグループとなる。
【００９８】
尚、デジタルカメラ１００では、誤消去防止解除の範囲指定の表示を破線のラインとしたが、誤消去防止設定と異なる表示であればどのような表示でもかまわない。また、１つの画像データだけに誤消去防止解除設定を行なうことも可能であり、このようにする場合、メモリーカード１０８に記録されている全ての画像データのうち、誤消去防止設定が行なわれている画像データのサムネイル画像だけを画像表示用ＬＣＤ１１２に一覧表示して誤消去防止解除の設定を行なう画像を選択後、例えば十字キー１１４ｂの左右矢印キーを同時に押すことによって、当該画像上に例えばロの字形の破線のラインを表示させ、そしてメニュー／ＯＫボタン１１４ｃを押すことで当該画像データから誤消去防止のフラグが消去されるようにしてもよい。
【００９９】
以上のように構成されたデジタルカメラ１００によれば、最初の画像と最後の画像を指定することにより、２つ以上の連続した画像データについて誤消去防止の範囲設定が行なえる。また、同様に、最初の画像と最後の画像を指定することにより、２つ以上の連続した画像データについて誤消去防止設定解除の範囲設定が行なえる。
【０１００】
尚、本発明は、前述した実施形態に限定されるものではなく、適宜、変形，改良，等が可能である。その他、前述した実施形態における各構成要素の形状，形態，数，配置個所，等は本発明を達成できるものであれば任意であり、限定されない。
【０１０１】
特に、誤消去防止の範囲を示す表示は、上記実施の形態では画像を色付きのラインで囲むような表示としたが、例えば、ラインの色を変更したり、画像に「消去不可」という文字を重ねて表示したり、「×」印や鍵マーク等の図形やアイコンを表示したり、画像を点滅させたりする等、使用者の使い勝手に合わせて変更できるようにしてもかまわない。即ち、誤消去防止設定されていることを示すための、少なくとも図形および文字の一方の表示が、画像表示用ＬＣＤ１１２に表示される画像に付加されていればよい。
【０１０２】
また、誤消去防止や誤消去防止解除の範囲設定において、片方の画像だけを指定した場合（即ち、「ここから」または「ここまで」のいずれか一方の画像を設定した場合）における範囲の簡略設定も任意であり、必ず両方の画像を選択しないと範囲設定が有効にならないようにしてもかまわない。
【０１０３】
更に、上記の例では記録媒体が半導体記録メディア等のメモリーカードである場合について説明したが、当該記録媒体として、ＤＶＤ（即ち、Ｄｉｇｉｔａｌ　Ｖｅｒｓａｔｉｌｅ　Ｄｉｓｋ）−ＲＡＭ（即ち、Ｒａｎｄｏｍ　Ａｃｃｅｓｓ　Ｍｅｍｏｒｙ）、ＤＶＤ−ＲＷ（即ち、Ｒｅｗｒｉｔａｂｌｅ）、ＣＤ（即ち、Ｃｏｍｐａｃｔ　Ｄｉｓｃ）−ＲＷ、等の光記録媒体、ハードディスク、フロッピーディスク、等の磁気記録媒体、ＭＯ（即ち、Ｍａｇｎｅｔｏ　Ｏｐｔｉｃａｌ　Ｄｉｓｋ）等の光磁気記録媒体、等といった半導体記録媒体以外の記録媒体をデジタルカメラに採用する場合においても本発明が有効に適用可能であることは言うまでもない。
【０１０４】
【発明の効果】
以上、説明したように、本発明によれば、デジタルカメラが、記録媒体に記録されている画像データに対応する画像が所定の順番で表示される画像表示手段と、画像表示手段により表示される画像から所望の第１の画像を始端として選択し且つ所望の第２の画像を終端として選択して誤消去防止設定の範囲指定を行なうための誤消去防止設定範囲指定手段と、誤消去防止設定範囲指定手段により指定された第１の画像から第２の画像までの範囲の画像データそれぞれに、誤消去を防止する所定のフラグを付加するための誤消去防止設定手段と、を備えているので、最初の画像と最後の画像を指定することにより、２つ以上の連続した画像データについて誤消去防止の範囲設定が行なえ、消去したくない画像の保護設定が、画像を確認しながら簡単に確実に行なえる。即ち、誤消去防止の設定を行ないたい複数の画像データそれぞれについて設定を行なう必要がなく、最初の画像と最後の画像を指定するだけで簡単に誤消去防止の設定を所望の複数の画像に対して行なうことができる。
【０１０５】
また、本発明によれば、画像データが記録された記録媒体から読み出されて画像表示手段に１つずつ一画面表示される画像から所望の第１の画像および第２の画像を指定することにより、誤消去防止の範囲設定が行なえる。誤消去防止の範囲を、最初の画像と最後の画像で確認しながら設定できるため、設定が確実に行なえる。
【０１０６】
また、本発明によれば、画像データが記録された記録媒体から読み出されて画像表示手段に一覧表示された複数の画像の中から所望の第１の画像および第２の画像を指定することにより、誤消去防止の範囲設定が行なえる。誤消去防止の範囲全体を確認しながら設定できるため、設定が確実に行なえる。
【０１０７】
また、本発明によれば、誤消去防止設定手段により誤消去防止の設定が行なわれた画像データは、その対応する画像が、誤消去防止設定されていることを示すための少なくとも図形および文字の一方の表示を付加されて、画像表示手段に表示されるので、表示されている画像の誤消去防止設定の有無が直感的に把握できる。
【０１０８】
また、本発明によれば、デジタルカメラが、更に、前記画像表示手段により表示される誤消去防止設定された画像から２つの画像を選択して誤消去防止設定解除の範囲指定を行なうための誤消去防止設定解除範囲指定手段と、前記誤消去防止設定解除範囲指定手段により指定された範囲における画像データそれぞれから、当該画像データに付加されている誤消去を防止する所定のフラグを解除するための誤消去防止設定解除手段と、を備えているので、最初の画像と最後の画像を指定することにより、２つ以上の連続した画像データについて誤消去防止解除の範囲設定が行なえ、誤消去防止の解除設定が画像を確認しながら簡単に確実に行なえる。即ち、誤消去防止解除の設定を行ないたい複数の画像データそれぞれについて設定を行なう必要がなく、最初と最後の画像を指定するだけで簡単に誤消去防止解除の設定を所望の複数の画像に対して行なうことができる。
【０１０９】
また、本発明によれば、画像データが記録された記録媒体から誤消去防止が設定された画像だけが読み出されて画像表示手段に表示される画像から所望の２つの画像を指定することにより、誤消去防止解除の範囲設定が行なえる。誤消去防止解除の範囲を、最初の画像と最後の画像で確認しながら設定できるため、設定が確実に行なえる。
【０１１０】
また、本発明によれば、誤消去防止設定解除手段により誤消去防止の設定解除が行なわれた画像データは、その対応する画像から、誤消去防止設定されていることを示すための前記表示（即ち、少なくとも図形および文字の一方）が除去された状態で、画像表示手段に表示されるので、表示されている画像の誤消去防止設定の有無が直感的に把握できる。
【図面の簡単な説明】
【図１】本発明に係るデジタルカメラの一実施形態の外観構成の一例を示す斜視図である。
【図２】本発明に係るデジタルカメラの一実施形態のシステム構成例を示すブロック図である。
【図３】図２に示されるデジタルカメラの操作部の構成例を示す平面図である。
【図４】本発明に係るデジタルカメラの一実施形態の動作（即ち、誤消去防止設定動作）内容を示すフローチャートである。
【図５】（ａ）、（ｂ）および（ｃ）は、本発明に係るデジタルカメラの一実施形態の動作時（即ち、１画面表示モードにおける誤消去防止範囲設定時、換言すれば、「ここから」の設定時）における画像表示用ＬＣＤの表示例を示す模式図である。
【図６】（ａ）、（ｂ）および（ｃ）は、本発明に係るデジタルカメラの一実施形態の動作時（即ち、１画面表示モードにおける誤消去防止範囲設定時、換言すれば、「ここまで」の設定時）における画像表示用ＬＣＤの表示例を示す模式図である。
【図７】（ａ）、（ｂ）および（ｃ）は、本発明に係るデジタルカメラの一実施形態の動作時（即ち、サムネイル表示モードにおける誤消去防止範囲設定時、換言すれば、「ここから」の設定時）における画像表示用ＬＣＤの表示例を示す模式図である。
【図８】（ａ）、（ｂ）および（ｃ）は、本発明に係るデジタルカメラの一実施形態の動作時（即ち、サムネイル表示モードにおける誤消去防止範囲設定時、換言すれば、「ここまで」の設定時）における画像表示用ＬＣＤの表示例を示す模式図である。
【図９】（ａ）、（ｂ）および（ｃ）は、本発明に係るデジタルカメラの一実施形態の動作時（即ち、サムネイル表示モードにおける誤消去防止範囲設定時、換言すれば、「ここから」だけを設定した場合）における画像表示用ＬＣＤの表示例を示す模式図である。
【図１０】（ａ）、（ｂ）および（ｃ）は、本発明に係るデジタルカメラの一実施形態の動作時（即ち、サムネイル表示モードにおける誤消去防止範囲設定時、換言すれば、「ここまで」だけを設定した場合）における画像表示用ＬＣＤの表示例を示す模式図である。
【図１１】本発明に係るデジタルカメラの一実施形態の動作（即ち、誤消去防止設定解除動作）内容を示すフローチャートである。
【図１２】（ａ）、（ｂ）、（ｃ）および（ｄ）は、本発明に係るデジタルカメラの一実施形態の動作時（即ち、サムネイル表示モードにおける誤消去防止解除の範囲設定時、換言すれば、「ここから」と「ここまで」を設定した場合）における画像表示用ＬＣＤの表示例を示す模式図である。
【図１３】（ａ）、（ｂ）、（ｃ）および（ｄ）は、本発明に係るデジタルカメラの一実施形態の動作時（即ち、サムネイル表示モードにおける誤消去防止解除の範囲設定時、換言すれば、「ここから」だけを設定した場合）における画像表示用ＬＣＤの表示例を示す模式図である。
【図１４】（ａ）、（ｂ）、（ｃ）および（ｄ）は、本発明に係るデジタルカメラの一実施形態の動作時（即ち、サムネイル表示モードにおける誤消去防止解除の範囲設定時、換言すれば、「ここまで」だけを設定した場合）における画像表示用ＬＣＤの表示例を示す模式図である。
【図１５】（ａ）、（ｂ）、（ｃ）および（ｄ）は、本発明に係るデジタルカメラの一実施形態の動作時（即ち、複数の誤消去防止設定範囲を含む場合で、サムネイル表示モードにおける誤消去防止解除の範囲設定時）における画像表示用ＬＣＤの表示例を示す模式図である。
【符号の説明】
１００　　デジタルカメラ
１０２　　撮像デバイス
１０８　　メモリーカード
１１２　　画像表示用ＬＣＤ
１１４ａ　モードダイヤル
１１４ｂ　十字キー
１１４ｃ　メニュー／ＯＫボタン
１１４ｅ　キャンセルボタン
１１８　　メインＣＰＵ
【図１】
2004120531.tif 000003
【図２】
2004120531.tif 000004
【図３】
2004120531.tif 000005
【図４】
2004120531.tif 000006
【図５】
2004120531.tif 000007
【図６】
2004120531.tif 000008
【図７】
2004120531.tif 000009
【図８】
2004120531.tif 000010
【図９】
2004120531.tif 000011
【図１０】
2004120531.tif 000012
【図１１】
2004120531.tif 000013
【図１２】
2004120531.tif 000014
【図１３】
2004120531.tif 000015
【図１４】
2004120531.tif 000016
【図１５】
2004120531.tif 000017